(57)【特許請求の範囲】
【請求項１】
毛髪をスタイリングするための蒸気整髪機器（１）であって、
−互いに面して配置された第１の顎部および第２の顎部（２、３）であって、第１の処理表面（４）が、前記第１の顎部（２）によって担持され、第２の処理表面（５）が、前記第２の顎部（３）によって担持され、前記表面（４、５）は、毛髪の房を掴むことが意図された、第１の顎部および第２の顎部（２、３）と、
−液体の貯留器（１９）と、
−前記貯留器（１９）と連通する液体の蒸発手段（７）と、
−毛髪の房の方向の１つまたは複数の蒸気分配オリフィス（７５）を含む、前記蒸発手段（７）と連通する蒸気の分配手段（７”）とを備える蒸気整髪機器（１）において、
前記蒸発手段（７）は、一意的な容積を形成する第１の蒸発チャンバ（７１）と、バッフル（７３）を装備する第２の蒸発チャンバ（７２）とを含み、前記チャンバ同士（７１、７２）は、流体連通しており、前記第１の蒸発チャンバ（７１）は、水供給管（７４）の形態の水入口であって前記貯留器（１９）と連通している水入口を有し、および、蒸気の通路方向に前記第２の蒸発チャンバ（７２）から上流側に配置されている
ことを特徴とする機器。
【請求項２】
毛髪をスタイリングするための蒸気整髪機器（１）であって、
−互いに面して配置された第１の顎部および第２の顎部（２、３）であって、第１の処理表面（４）が、前記第１の顎部（２）によって担持され、第２の処理表面（５）が、前記第２の顎部（３）によって担持され、前記表面（４、５）は、毛髪の房を掴むことが意図された、第１の顎部および第２の顎部（２、３）と、
−液体の貯留器（１９）と、
−前記貯留器（１９）と連通する液体の蒸発手段（７）と、
−毛髪の房の方向の１つまたは複数の蒸気分配オリフィス（７５）を含む、前記蒸発手段（７）と連通する蒸気の分配手段（７”）とを備える蒸気整髪機器（１）において、
前記蒸発手段（７）は、一意的な容積を形成する第１の蒸発チャンバ（７１）と、バッフル（７３）を装備する第２の蒸発チャンバ（７２）とを含み、前記チャンバ同士（７１、７２）は、流体連通しており、前記第１のチャンバ（７１）の内部容積（Ｖ１）は、前記第２のチャンバ（７２）の内部容積（Ｖ２）より大きく、
前記第１のチャンバ（７１）の前記内部容積（Ｖ１）は、前記第２のチャンバ（７２）の前記内部容積（Ｖ２）より少なくとも２倍大きいことを特徴とする機器。
【請求項３】
毛髪をスタイリングするための蒸気整髪機器（１）であって、
−互いに面して配置された第１の顎部および第２の顎部（２、３）であって、第１の処理表面（４）が、前記第１の顎部（２）によって担持され、第２の処理表面（５）が、前記第２の顎部（３）によって担持され、前記表面（４、５）は、毛髪の房を掴むことが意図された、第１の顎部および第２の顎部（２、３）と、
−液体の貯留器（１９）と、
−前記貯留器（１９）と連通する液体の蒸発手段（７）と、
−毛髪の房の方向の１つまたは複数の蒸気分配オリフィス（７５）を含む、前記蒸発手段（７）と連通する蒸気の分配手段（７”）とを備える蒸気整髪機器（１）において、
前記蒸発手段（７）は、一意的な容積を形成する第１の蒸発チャンバ（７１）と、バッフル（７３）を装備する第２の蒸発チャンバ（７２）とを含み、前記チャンバ同士（７１、７２）は、流体連通しており、前記第１のチャンバ（７１）の内部容積（Ｖ１）は、前記第２のチャンバ（７２）の内部容積（Ｖ２）より大きく、
前記第１の蒸発チャンバ（７１）は、水供給管（７４）の形態の水入口を有し、そのオリフィスは、前記第１のチャンバ（７１）の長さの本質的に４分の１に配置されることを特徴とする機器。
【請求項４】
毛髪をスタイリングするための蒸気整髪機器（１）であって、
−互いに面して配置された第１の顎部および第２の顎部（２、３）であって、第１の処理表面（４）が、前記第１の顎部（２）によって担持され、第２の処理表面（５）が、前記第２の顎部（３）によって担持され、前記表面（４、５）は、毛髪の房を掴むことが意図された、第１の顎部および第２の顎部（２、３）と、
−液体の貯留器（１９）と、
−前記貯留器（１９）と連通する液体の蒸発手段（７）と、
−毛髪の房の方向の１つまたは複数の蒸気分配オリフィス（７５）を含む、前記蒸発手段（７）と連通する蒸気の分配手段（７”）とを備える蒸気整髪機器（１）において、
前記蒸発手段（７）は、一意的な容積を形成する第１の蒸発チャンバ（７１）と、バッフル（７３）を装備する第２の蒸発チャンバ（７２）とを含み、前記チャンバ同士（７１、７２）は、流体連通しており、前記第１のチャンバ（７１）の内部容積（Ｖ１）は、前記第２のチャンバ（７２）の内部容積（Ｖ２）より大きく、
前記第１の蒸発チャンバ（７１）は、ＰＴＦＥからなるまたはＰＴＦＥがコーティングされた材料から作製された、管の形態の水入口を有することを特徴とする機器。
【請求項５】
毛髪をスタイリングするための蒸気整髪機器（１）であって、
−互いに面して配置された第１の顎部および第２の顎部（２、３）であって、第１の処理表面（４）が、前記第１の顎部（２）によって担持され、第２の処理表面（５）が、前記第２の顎部（３）によって担持され、前記表面（４、５）は、毛髪の房を掴むことが意図された、第１の顎部および第２の顎部（２、３）と、
−液体の貯留器（１９）と、
−前記貯留器（１９）と連通する液体の蒸発手段（７）と、
−毛髪の房の方向の１つまたは複数の蒸気分配オリフィス（７５）を含む、前記蒸発手段（７）と連通する蒸気の分配手段（７”）とを備える蒸気整髪機器（１）において、
前記蒸発手段（７）は、一意的な容積を形成する第１の蒸発チャンバ（７１）と、バッフル（７３）を装備する第２の蒸発チャンバ（７２）とを含み、前記チャンバ同士（７１、７２）は、流体連通しており、前記第１のチャンバ（７１）の内部容積（Ｖ１）は、前記第２のチャンバ（７２）の内部容積（Ｖ２）より大きく、
前記蒸発手段（７）専用にされた少なくとも１つの加熱要素（８）を備え、
前記加熱要素（８）は、前記蒸発手段（７）の最大の外部表面に当接して配置され、好ましくは前記分配オリフィス（７５）の反対側に置かれることを特徴とする機器。
【請求項６】
毛髪をスタイリングするための蒸気整髪機器（１）であって、
−互いに面して配置された第１の顎部および第２の顎部（２、３）であって、第１の処理表面（４）が、前記第１の顎部（２）によって担持され、第２の処理表面（５）が、前記第２の顎部（３）によって担持され、前記表面（４、５）は、毛髪の房を掴むことが意図された、第１の顎部および第２の顎部（２、３）と、
−液体の貯留器（１９）と、
−前記貯留器（１９）と連通する液体の蒸発手段（７）と、
−毛髪の房の方向の１つまたは複数の蒸気分配オリフィス（７５）を含む、前記蒸発手段（７）と連通する蒸気の分配手段（７”）とを備える蒸気整髪機器（１）において、
前記蒸発手段（７）は、一意的な容積を形成する第１の蒸発チャンバ（７１）と、バッフル（７３）を装備する第２の蒸発チャンバ（７２）とを含み、前記チャンバ同士（７１、７２）は、流体連通しており、前記第１のチャンバ（７１）の内部容積（Ｖ１）は、前記第２のチャンバ（７２）の内部容積（Ｖ２）より大きく、
前記蒸発手段（７）の両側に当接して横方向に配置された２つの加熱要素（８）を備えることを特徴とする機器。
【請求項７】
毛髪をスタイリングするための蒸気整髪機器（１）であって、
−互いに面して配置された第１の顎部および第２の顎部（２、３）であって、第１の処理表面（４）が、前記第１の顎部（２）によって担持され、第２の処理表面（５）が、前記第２の顎部（３）によって担持され、前記表面（４、５）は、毛髪の房を掴むことが意図された、第１の顎部および第２の顎部（２、３）と、
−液体の貯留器（１９）と、
−前記貯留器（１９）と連通する液体の蒸発手段（７）と、
−毛髪の房の方向の１つまたは複数の蒸気分配オリフィス（７５）を含む、前記蒸発手段（７）と連通する蒸気の分配手段（７”）とを備える蒸気整髪機器（１）において、
前記蒸発手段（７）は、一意的な容積を形成する第１の蒸発チャンバ（７１）と、バッフル（７３）を装備する第２の蒸発チャンバ（７２）とを含み、前記チャンバ同士（７１、７２）は、流体連通しており、前記第１のチャンバ（７１）の内部容積（Ｖ１）は、前記第２のチャンバ（７２）の内部容積（Ｖ２）より大きく、
前記蒸発手段（７）の内部表面の少なくとも一部は、粒状コーティングを有する、および／または抗沸騰剤で少なくとも部分的にコーティングされることを特徴とする機器。
【請求項８】
毛髪をスタイリングするための蒸気整髪機器（１）であって、
−互いに面して配置された第１の顎部および第２の顎部（２、３）であって、その間に毛髪の房を掴むことが意図された第１の顎部および第２の顎部（２、３）と、
−液体の貯留器（１９）と、
−前記貯留器（１９）と連通する液体の蒸発手段（７）と、
−前記蒸発手段（７）と連通する蒸気の分配手段（７”）と
を備える蒸気整髪機器（１）において、
前記蒸発手段（７）は、互いに流体連通している第１の蒸発チャンバ（７１）および第２の蒸発チャンバ（７２）を含み、前記第１の蒸発チャンバ（７１）の内部容積（Ｖ１）は、前記第２の蒸発チャンバ（７２）の内部容積（Ｖ２）より少なくとも２倍大きいことを特徴とする機器。
【請求項９】
毛髪をスタイリングするための蒸気整髪機器（１）であって、
−互いに面して配置された第１の顎部および第２の顎部（２、３）であって、その間に毛髪の房を掴むことが意図された第１の顎部および第２の顎部（２、３）と、
−液体の貯留器（１９）と、
−前記貯留器（１９）と連通する液体の蒸発手段（７）と、
−前記蒸発手段（７）と連通する蒸気の分配手段（７”）と
を備える蒸気整髪機器（１）において、
前記蒸発手段（７）は蒸発チャンバ（７１）を含み、前記蒸発チャンバ（７１）は、水供給管（７４）の形態の水入口を有し、そのオリフィスは、前記蒸発チャンバ（７１）の長さの本質的に４分の１に配置されることを特徴とする機器。
【請求項１０】
毛髪をスタイリングするための蒸気整髪機器（１）であって、
−互いに面して配置された第１の顎部および第２の顎部（２、３）であって、その間に毛髪の房を掴むことが意図された第１の顎部および第２の顎部（２、３）と、
−液体の貯留器（１９）と、
−前記貯留器（１９）と連通する液体の蒸発手段（７）と、
−前記蒸発手段（７）と連通する蒸気の分配手段（７”）と
を備える蒸気整髪機器（１）において、
前記蒸発手段（７）は蒸発チャンバ（７１）を含み、前記蒸発チャンバ（７１）は、ＰＴＦＥからなるまたはＰＴＦＥがコーティングされた材料から作製された、管の形態の水入口を有することを特徴とする機器。
【請求項１１】
毛髪をスタイリングするための蒸気整髪機器（１）であって、
−互いに面して配置された第１の顎部および第２の顎部（２、３）であって、その間に毛髪の房を掴むことが意図された第１の顎部および第２の顎部（２、３）と、
−液体の貯留器（１９）と、
−前記貯留器（１９）と連通する液体の蒸発手段（７）と、
−毛髪の房の方向の１つまたは複数の蒸気分配オリフィス（７５）を含む、前記蒸発手段（７）と連通する蒸気の分配手段（７”）と、
−前記蒸発手段（７）の最大の外部表面に当接して配置され、好ましくは前記蒸気分配オリフィス（７５）の反対側に置かれる少なくとも１つの加熱要素（８）と
を備えることを特徴とする機器。
【請求項１２】
毛髪をスタイリングするための蒸気整髪機器（１）であって、
−互いに面して配置された第１の顎部および第２の顎部（２、３）であって、その間に毛髪の房を掴むことが意図された第１の顎部および第２の顎部（２、３）と、
−液体の貯留器（１９）と、
−前記貯留器（１９）と連通する液体の蒸発手段（７）と、
−前記蒸発手段（７）と連通する蒸気の分配手段（７”）と、
−前記蒸発手段（７）の両側に当接して横方向に配置された２つの加熱要素（８）と
を備えることを特徴とする機器。
【請求項１３】
毛髪をスタイリングするための蒸気整髪機器（１）であって、
−互いに面して配置された第１の顎部および第２の顎部（２、３）であって、その間に毛髪の房を掴むことが意図された第１の顎部および第２の顎部（２、３）と、
−液体の貯留器（１９）と、
−前記貯留器（１９）と連通する液体の蒸発手段（７）と、
−前記蒸発手段（７）と連通する蒸気の分配手段（７”）と
を備える蒸気整髪機器（１）において、
前記蒸発手段（７）の内部表面の少なくとも一部は、粒状コーティングを有する、および／または抗沸騰剤で少なくとも部分的にコーティングされることを特徴とする機器。
【請求項１４】
前記第１の蒸発チャンバ（７１）は、矩形断面、正方形断面、または台形断面のうち１つが選択された断面を有する、本質的に平行６面体である容積を有することを特徴とする請求項１に記載の機器。
【請求項１５】
前記水入口のオリフィスは、前記第１の蒸発チャンバ（７１）の本質的に中心に配置されることを特徴とする請求項１に記載の機器。
【請求項１６】
前記水入口のオリフィスは、前記第１の蒸発チャンバ（７１）の長さの本質的に４分の１に配置されることを特徴とする請求項１に記載の機器。
【発明の詳細な説明】
【技術分野】
【０００１】
本発明は、蒸気を加えて用いて、毛髪をスタイリングすること、特に人間の毛髪のスムージング、カーリング、およびクリンピングを意図した整髪機器に関する。
【背景技術】
【０００２】
従来、スムージングまたはカーリングまたはクリンピングを可能にする整髪機器には２つのタイプが存在しており、毛髪を掴むその表面は、平坦または湾曲または波形であり、加熱される、または加熱するものである。
【０００３】
スムージングまたはカーリング用の掴むタイプの機器は、一般に、２つの枢動する顎部を備え、その各々は、処理表面を支持する端部を有し、その処理表面の少なくとも１方は、加熱され、他方は、毛髪を前者の処理表面に接触させるように設けられており、すなわち毛髪の挿入を可能にする顎部を開放する位置から閉位置になることにより、毛髪を加熱部に接触させる。
【０００４】
顎部の他方の端部は、保持領域として作用し、開位置から閉位置に変更することを可能にする２つのハーフハンドルを形成する。この移行は、機器の２つの連接されたハーフハンドルを互いに向かって押さえ付けて加熱部を毛髪に接触させることによって手動で行われる。毛髪の房のスムージングは、機器をこの房に沿って根元から先端部に移動させることによって達成される。毛髪の房のカーリングは、房を処理表面の一方または他方の周りで少なくとも部分的に巻き、熱を掛けてカールを持続するように固定することによって行われる。毛髪の成形を向上させるために、毛髪に放出された蒸気を使用することも同様に可能である。
【０００５】
特許文献１からは、貯留器、蒸発チャンバ、および蒸気を分配するためのコンパートメントを備える毛髪カーラが知られており、このコンパートメントは、バッフルおよび蒸気出口用のオリフィスの両方を備える。この機器は、小型であるという利点を有する。バッフルは、蒸気が通ることを可能にしながら、水流が穴を直接くぐることを防止するために導入されており、それにより、機器がユーザによってどのような位置に配置されても、水の漏出は無くなるようになる。それにも関わらず、この機器は、最適な安全性を可能にしておらず、すなわち、これは、水滴が、頭毛上に落下し頭毛をやけどさせることを防止していない。
【０００６】
また、特許文献２からは、水蒸気類の蒸気カーリングアイロンも知られている：貯留器、バッフル付きチャンバ、毛髪に至る蒸気の出口を装備した主要な蒸発チャンバ。しかし、バッフルは、流体に至る入口に置かれ、蒸発チャンバは、蒸気出口穴のすぐ上方に位置している。したがってバッフルは、蒸発チャンバが、いかなる水滴の噴射も出口オリフィスを介して頭毛上に発生させないように十分加熱されなければならない。さらに、高温で加熱されることは、機器内に望ましくない沸騰問題を伴い、その結果として頭毛上に高温の水滴を放出する恐れがある。
【０００７】
特許文献３は、化粧剤を有する貯留器と、蒸気を加熱されたスムージングプレート上に通過させるための、蒸発プレートを含む加熱チャンバへのキャピラリ作用による輸送手段（フェルト）とを備える平坦なプレート付き蒸気スムーザを開示している。沸騰水の水滴が頭毛上の望ましくない噴射に変わることを防止するのがこのフェルトであるが、この部分は、寿命が短く、すぐに目詰まりし、連続流を確実にすることはできない。さらに、フェルトが乾燥しているとき、蒸気を生成することはできない。
【０００８】
特許文献４は、スムージングプレートの下方に置かれ、スムージングプレートの両側の蒸気出口オリフィスの２つのラインと流体連通する、蒸気を発生させるためのチャンバを備えた蒸気スムーザを開示している。チャンバからの沸騰水の水滴が、頭毛上の噴射になり得るというリスクが存在する。
【０００９】
最後に、本出願人の名のもとの特許文献５および特許文献６は、共通の蒸気分配チャンバ内で一緒になる、線対称の迷路内の２つの経路を一意的に装備した蒸発チャンバを備えた蒸気スムーザガンを開示している。この装置が、蒸気に変えられる沸騰水滴をチャンバから頭毛上に落下させない場合、他方では、これは、蒸気流が極めて弱くなり、寿命が限定される。
【先行技術文献】
【特許文献】
【００１０】
【特許文献１】米国特許第３９３４５９７号明細書
【特許文献２】米国特許第３９２１６４８号明細書
【特許文献３】国際公開第０４００２２６３号パンフレット
【特許文献４】欧州特許第１６５２４４５号明細書
【特許文献５】仏国特許出願公開第２９２１８０４号明細書
【特許文献６】仏国特許出願公開第２９２１８０３号明細書
【特許文献７】欧州特許第０６１９０８７号明細書
【特許文献８】欧州特許第２１５２１１４号明細書
【特許文献９】国際公開第２００８１２９１７２号パンフレット
【発明の概要】
【発明が解決しようとする課題】
【００１１】
本発明の目的は、上記で述べた不便性を少なくとも部分的に解決し、予想される熱の補助的供給、および／または補助的な機械引張力および／または化学成分の補助的供給を断ちながら、効率的で均一なやり方で、制御された湿度を処理された毛髪にすばやく伝えやすくする毛髪処理機器を提案することである。
【００１２】
本発明の別の目的は、複数の毛髪スタイリングプロセスにおいて効率的に使用可能であり、水垢に対する優れた抵抗性を備え、安全なやり方で作動する蒸気毛髪処理機器である。
【００１３】
本発明の別の目的は、かなりの量の蒸発水を生成することを可能にする蒸気毛髪処理機器である。
【００１４】
本発明の別の目的は、信頼高く作動し、凝縮現象を回避しやすく、簡単かつ経済的な方法で実施されることが可能である蒸気毛髪処理機器である。
【００１５】
本発明の別の目的は、蒸気を毛髪に一様なやり方で供給しやすい連続流を備え、一方で低コストで工業化されることが可能である、簡易化された小型構造を有する蒸気毛髪処理機器である。
【００１６】
本発明の別の目的は、毛髪のすばやく効率的な処理を可能にしながら、機器はユーザによってあらゆる方向で操作されるので、空間的に使用が簡単で実用的である毛髪処理機器である。
【課題を解決するための手段】
【００１７】
これらの目的は、毛髪をスタイリングするための蒸気毛髪用機器を用いて達成され、蒸気毛髪用機器は、互いに面して配置された第１の顎部および第２の顎部であって、第１の処理表面が、第１の顎部によって担持され、第２の処理表面が、第２の顎部によって担持され、その表面は、毛髪の房を掴むことが意図された、第１の顎部および第２の顎部と、液体の貯留器と、貯留器と流体連通する液体を蒸発させる手段と、毛髪の房の方向に蒸気を分配するための１つまたは複数のオリフィスを含む、蒸発手段と連通する蒸気を分配する手段とを備え、蒸発手段は、一意的（unique）な容積を形成する第１の蒸発チャンバと、バッフルを装備する第２の蒸発チャンバとを備え、前記チャンバ同士は、流体連通している。
【００１８】
したがって、蒸気の形成は、少なくとも２つの異なるチャンバで行われ、これにより、望ましくない沈殿物を効果的に保持し、機器の耐用年数の間水垢に対する抵抗性を向上させることを可能にする。第１のチャンバは、第１の一意的な容積を、すなわち、不連続部または障害物または障壁を有さない画定された容積を占有する。第２のチャンバは、ラビリンスタイプの、蒸気に対する変更ルートを創出するためにバッフルの存在によって導入された不連続部を含む第２の容積を占有する。これが、水垢形成に対する優れた耐性をもたらす。これはまた、予想されるまだ蒸発していない水滴を蒸発させることも可能にし、数値的に最適化された交換表面（拡大された表面）によるすべての流体の蒸発を確実にする。
【００１９】
バッフル手段は、蒸気の不均一な移動、すなわちジグザグ移動を創出する、たとえばチャンバを通り抜ける速度を低減する、チャンバのさまざまな壁の表面との接触を増やす、チャンバ内に置かれた任意の障害物または障壁を意味する。このバッフルのために、蒸気のジグザグは、水平軸および垂直軸に沿って移動し、実際には、左から右および上部から底部のジグザクを作ることができる。これはまた、潜在的なまだ蒸発していない水滴を蒸発させることが可能であり、交換表面の最適化された配置、すなわちバッフルの三次元配置のおかげですべての流体を蒸発させることを確実にする。
【００２０】
蒸発チャンバとは、あらゆる予想される加熱する手段、たとえば正温度係数（ＰＴＣ）抵抗器と呼ばれる電気抵抗器またはセラミック抵抗器によって加熱されたチャンバの意味である。
【００２１】
本発明によれば、第１の蒸発チャンバは、蒸気の通路に関して第２のチャンバから上流側に配置される。したがって、「蒸気の創出」機能は、主に第１のチャンバ内で実行され、「抗水垢」機能は、主に第２のチャンバ内で実行されると考えることができる。
【００２２】
本発明によれば、第１のチャンバの内部容積Ｖ１は、第２のチャンバの内部容積Ｖ２より大きく、すなわち、第２のチャンバの内部容積Ｖ２の少なくとも２倍の大きさである。増大された容積Ｖ１は、すばやい蒸発を可能にし、より小さい容積Ｖ２は、必要とされる小型性を有することを可能にし、２つの容積間のその比は、良好な水垢捕捉機能を可能にする。
【００２３】
本発明によれば、バッフルまたは障壁は、互いに平行になるように分割されてよい。このため、定形のジオメトリにしたがって蒸気が通ることが可能になり、それによって水垢は、第２のチャンバ内で一様なやり方で捕捉されることになる。
【００２４】
本発明によれば、バッフルは、少なくとも３つ、さらには４つまたは５つでもよい。これは、チャンバの比較的小型のサイズを維持しながら、蒸気の進路を中断させることを可能にする。
【００２５】
本発明によれば、第１のチャンバは、矩形断面、正方形断面、台形断面などの１つの中から選択された断面を有する、本質的に平行６面体である一意的な容積を有することができる。「一意的な」容積は、チャンバが、妨害を有さず、バッフルを有さず、障壁または迂回要素を有さずに容積を占有するという事実を意味する。これは、良好な妥協を蒸発システムの小型性と効率性の間で可能にする。
【００２６】
本発明によれば、分配手段は、蒸発手段に対して横方向でよく、好ましくは、蒸発手段の全長の大部分にわたって延びる。これは、蒸発システムの小型性と効率性の間に良好な妥協をもたらすことを可能にする。
【００２７】
本発明によれば、代替的にまたは追加的に：
−第１の蒸発チャンバは、第１のチャンバの本質的に中心に配置された水供給管の形態の水入口を有することができ、
−第１の蒸発チャンバは、第１のチャンバの長さの本質的に４分の１に配置された開口部を有する水供給管の形態の水入口を有することができ、
−第１の蒸発チャンバは、「テフロン（登録商標）」の商標名のもとで知られているＰＴＦＥ（ポリテトラフルオロエチレン）を含むまたはそれでコーティングされた材料から、または水垢が固着しにくい、もしくは固着しない別の材料からも作製された管の形態の水入口を有することができる。
【００２８】
これらの対策により、温度が最大であるチャンバ内の場所に、できるだけ壁から離して置かれるために最適化された水供給が可能になり、したがって向上した蒸発を可能にする。入口は、水垢の堆積を抑制することを可能にするＰＴＦＥ材料タイプまたはその等価物の材料によって最適化される。
【００２９】
これはまた、望ましくない加熱影響を抑制することも可能にする。公式には、加熱は、液体の沸騰温度Ｔbより大きい温度閾値ＴSに到達した加熱表面に関連する液体の断熱現象と呼ばれる。この現象は、加熱表面と液体の間に蒸気の層を形成することによるものであり、熱移動をかなりゆっくりさせる。加熱は、水滴が高温のプレート上に落下したときに観察される。水滴は、表面上で転がるように現れ、すぐには蒸発しない。
【００３０】
本発明によれば、少なくとも１つの加熱要素が、蒸発手段専用にされ得る。これは、整髪機器内のいかなる他の加熱器からも独立したやり方で制御可能である蒸発を可能にする。
【００３１】
加熱要素は、蒸発手段の最大の外部表面に当接して配置されてよく、好ましくは分配オリフィスの反対側に置かれてよい。
【００３２】
あるいは、機器が２つの加熱要素から構成される場合、これらは、蒸発手段の両側に当接して横方向に配置される。
【００３３】
加熱要素は、蒸発手段の横方向表面に少なくとも部分的に当接して延び、置かれる。有利には、２つの加熱要素の１つは、蒸発チャンバの外部横方向表面と蒸気分配手段（分配チャンバ）の外部表面の間に置かれ、このため、低減されたサイズ内で、熱を蒸発手段および分配手段に同時に加えることが可能になる。
【００３４】
本発明によれば、その意図は、サーミスタを用いて加熱要素（複数可）を調節することになり得る。このサーミスタは、温度プローブとして機能する。サーミスタは、ＮＴＣ（負温度係数）でよい。サーミスタは、予防手段として作用するように分岐されるが、その理由は、これは、温度に応じて水分配（ポンプ）の手段をブロックできるからである。たとえば、ポンプを停止させる、スムーザの開放の検出などの他の条件を加えることもできる。約９５°Ｃが下限温度、１３０°Ｃが上限温度として考えられ、あるいは実際には、１０５℃から１２０℃のより狭い範囲、すなわち１１０℃と等しい値が考えられる。
【００３５】
本発明によれば、蒸発手段の内部表面の少なくとも一部は、粒状コーティングを有するおよび／または抗沸騰剤で少なくとも部分的にコーティングされる。抗沸騰剤は、ケイ酸塩、ＴＭＡＴＥ、ＬＵＤＯＸ、ＸＹＬＡＮなどの中の１つでよい。抗沸騰剤は、好ましくは第１のチャンバの壁に施与されるが、第２のチャンバの壁に施与されてもよい。施与は、蒸発またはブラシなどによって行われる。粒状の表面状態は、流体が「くっつく」ことを可能にする。単独または組み合わせられたこれらの要素は、沸騰の望ましくない影響を抑制することを可能にする。
【００３６】
本発明によれば、２つの毛髪処理表面は、本質的に相補的なものであり、平坦、湾曲、または波形の形状である。ここで関係するものは、それぞれスムーザ、カーラ、およびウェーバである。
【図面の簡単な説明】
【００３７】
本発明は、実施の形態、すなわち非限定的でありここで示されるものを検討することに対してより理解可能となる。
【図１】本発明による機器の断面図である。
【図１Ａ】本発明による機器の斜視図である。
【図２】本発明による機器の分解図である。
【図３】本発明の１つの実施形態による蒸発手段の長手方向の断面図である。
【図４】本発明の１つの実施形態による蒸発手段の長手方向の断面図である。
【図５】本発明の１つの実施形態による蒸発手段の上方からの斜視図である。
【図６】本発明の１つの実施形態による蒸発手段の下方からの斜視図である。
【図７】本発明の第２の実施形態による蒸発手段の長手方向および横方向の断面図である。
【図８】機器の第１の顎部の横方向の断面図である。
【発明を実施するための形態】
【００３８】
図１および１Ａは、毛髪をスタイリングするための蒸気整髪機器１を示しており、蒸気整髪機器１は、互いに面して配置された第１の顎部および第２の顎部２、３であって、第１の処理表面４が、第１の顎部２によって担持され、第２の処理表面５が、第２の顎部３によって担持され、その表面（４、５）は、毛髪の房を掴むことが意図された、第１の顎部および第２の顎部２、３と、液体の貯留器１９と、貯留器１９と流体連通する液体の蒸発手段７と、毛髪の房の方向に蒸気を分配するための１つまたは複数のオリフィス７５を含む、蒸発手段７と連通する蒸気の分配手段７”とを備える。蒸発手段７は、一意的な容積を形成する第１の蒸発チャンバ７１と、バッフル７３を装備する第２の蒸発チャンバ７２とを含み、前記チャンバ同士７１、７２は、流体連通している。第１の顎部２および第２の顎部３は、ヒンジタイプの連接部２０によって連結され、２つの顎部の開口部の最大角度α（図示せず）は、５°から６０°の間、さらには１０°から２０°の間、好ましくはほぼ１５°に等しい。
【００３９】
その番号参照が対応する図１および１Ａに示すように、本発明は、毛髪をスタイリングすることが意図された機器１に関するものであり、機器１は、主要な流体貯留器１９からなる基部１０００と、流体を蒸発させるための手段７、毛髪の最終目的地に蒸気を分配する手段７’、７”を含む携帯用ユニット１００と、流体が通るよう意図された少なくとも１つの経路を含み、主要な流体貯留器１９と蒸発手段７の間に配置されたコード２１とを備える。携帯用ユニット１００は、毛髪と接触することが意図された単一または少なくとも１つの第１の処理表面４と、その携帯用ユニット１００内専用に設けられた流体の蒸発手段７とを含む。基部は、携帯ユニットから「広がる」と言われるものであり、カウンタ上に独立して立つ。基部は、使用していないときの携帯用機器またはハンドピース１００を受け入れるためのスタンド１００１と、固定された部分２０３１および流体を挿入するための可動式の枢動部分２０３２を有するカバー２０３０とを含む。
【００４０】
カバーは、必要な場合、脱塩手段（カートリッジ）を取り換えるために完全に非可動になり得る。基部の一部は、もはや働かなくなったときに、ユーザに対してイオン交換樹脂の色の変化で視覚的に警告することができるように透明になり得る。基部は、基部内に導入された流体の水垢含量を低減することを可能にする脱塩手段２０００を含む。この脱塩手段２０００は、「すべての」流体を受け取った中間貯留器と整髪機器１００用に意図された「精製された」流体を含有する主要な貯留器１９の間に配置される。
【００４１】
第１の毛髪処理表面４および第２の毛髪処理表面５は、スムージング用の機器（図示せず）、カールまたはウェービングするための機器（図示せず）またはクリンピングするための機器の相補的な、平坦表面または湾曲表面である。たとえばカーリング機器は、特許文献７で説明され、または例として引用する特許文献８でも説明されている。カーリング機器は、処理のためおよび／または毛髪をスタイリングするための、好ましくは手動で使用される機器に関するものであり、主要本体から配置された掴む手段と、好ましくは主要本体上でその長手方向軸の周りで自由に回転するように装着された、毛髪の房のための巻き付け本体と、本体上で毛髪の房を掴むための可動式の顎クランプの少なくとも１つの組とを備える。クリンピング機器は、たとえば特許文献９で説明された平坦なものではない処理表面を各々が有する、互いに面する２つの顎部を装備する機器である。
【００４２】
図３、４、５、６および７に示すように、第１の蒸発チャンバ７１は、蒸気の通路に関して第２のチャンバ７２から上流側に配置される。第１のチャンバ７１の内部容積（Ｖ１）は、第２のチャンバ７２の内部容積（Ｖ２）より大きく、すなわち、第２のチャンバ７２の内部容積（Ｖ２）の少なくとも２倍の大きさである。バッフル７３は、互いに平行に分配される。図示する第２のチャンバ７２は、３つのバッフル７３を含む。第１のチャンバ７１は、第１の実施形態で図示するような矩形断面、および図７の第２の実施形態で図示するような台形のうち１つが選択された断面を有する、本質的に平行６面体である容積を有する。
【００４３】
分配手段７”は、蒸発手段７に対して横方向に配置され、好ましくは蒸発手段７の本質的に全長にわたって延びる。第１のチャンバ７１は、水供給管７４の形態の水入口を有し、そのオリフィスは、第１のチャンバ７１の概ね中心に配置され、その幅に関連して本質的に中間にかつ第１のチャンバ７１の長さの本質的に４分の１内に示されている。第１の蒸発チャンバ７１は、ＰＴＦＥ材料から作製された管の形態の水入口を有する。少なくとも１つの加熱要素８が、蒸発手段７専用にされる。第１の実施形態は、蒸発手段に対して一意的な加熱要素を提供し、第２の実施形態は、２つの加熱要素を提供する。加熱要素８は、第１の実施形態では蒸発手段７の最大の外部表面に当接して配置され、好ましくは分配オリフィス７５の反対側に置かれる。第２の実施形態の２つの加熱要素８は、蒸発手段７の両側に当接して横方向に配置される。加熱要素（複数可）８は、サーミスタ１０によって調節されることが意図される。蒸発手段７の内部表面の少なくとも一部は、粒状コーティングを有するおよび／または抗沸騰剤で少なくとも部分的にコーティングされる。２つの毛髪処理表面４、５は、本質的に相補的であり、平坦または湾曲または波形の形状である。
【００４４】
チャンバは、アルミニウムで実施され、２つのカバーを備えた２つの部分として配置されてよく、つまり図３および５に示す第１の部分が、図２および４に示す第２の部分上に置かれ、シリコーン継手によってシールされる。この第１の部分は、蒸気分配オリフィス７５を含み、第２の部分は、加熱要素８に当接して置かれる。加熱要素の適正なパフォーマンス、したがってその最適な作動は、たとえば板ばねによっておこなわれる。温度センサ１０が、好ましくは水入口の上方に配置されてよい。加熱要素は、ＰＣＴまたはセラミックサーミスタでよい。
【００４５】
液体の貯留器は、機器を構成するスムーザ内に組み込まれてよく、または代替的に図１に示す拡張された基部内にスムーザから距離を置いて配置されてよい。距離を置いて置かれるとき、液体の貯留器は、スムーザ−カーラ機器とは別個のボトル内に含まれ、機器の蒸発手段と液体連通することができる。
【００４６】
蒸発が効果的である部分は、蒸発手段および蒸気分配手段である。蒸発手段は、２つの別々の部分に分割される。第１のチャンバ７１は、主にそれ自体蒸発ゾーン１０であり、水が主に水蒸気に変換されるこの空間内にある。第２の蒸発チャンバ７２は、バッフル７３の組から作製され、バッフル７３の組は、あらゆる水滴が蒸気分配チャンバ７’の蒸発穴７５に向かう直通のルートをたどることを防止する。このため、一様の蒸気品質が確実にされる。
【００４７】
蒸発手段の本体は、押し出し成形によって実施され得る。このとき、チャンバの気密性を確実にするために、この本体を蒸発穴および各部の挿入に合わせて複製するだけで十分である。これらの端部プラグは、アルミニウム鋳造で作製され得る。これらの部分間の気密性は、シリコーン継手の助けを借りて達成可能である。
【００４８】
図８に示すように、携帯用ユニット１００は、第１の処理表面４を加熱するための加熱手段４１からなる。携帯用ユニット１００は、処理表面４に当接して置かれた、または処理表面４を備える要素の内側に配置されたＰＴＣまたはセラミックサーミスタでよい、加熱要素４１を含むことができる。流体蒸発手段７は、蒸発チャンバ７’と、蒸発チャンバ７’の加熱要素８とを含む。チャンバ（複数可）は、アルミニウムで実施され、蒸気分配オリフィス７”を含むことができ、加熱要素８に対して直接または間接的に接触させて置かれ得る。加熱要素８の適正なパフォーマンス、したがってその最適な作動は、たとえば板ばねを用いて行われる。温度センサ１０が、好ましくは水入口２１の上方に配置され得る。
【００４９】
蒸発チャンバの加熱要素８は、壁の１つに当接して置かれた、または処理表面を形成する要素の内側に配置されたＰＴＣまたはセラミックサーミスタでよい、少なくとも１つの加熱要素になり得る。これらは、処理表面の加熱手段と同一またはそれとは別個のものでよい。蒸気分配手段（７’、７”）は、第１の処理表面４に対して横方向に配置された、好ましくは処理表面４から少し後退させた、蒸気の出口用の一続き（一連、シリーズ）のオリフィス７５を有する。あるいはまたは追加的に、蒸気分配手段（７’、７”）は、処理表面上に配置された一続きのオリフィスを有する。
【００５０】
第２の実施形態は、２つの加熱要素を使用することにあり、図７に示されている。この実施形態によれば、蒸発手段（２つの蒸発チャンバ）は、約２．５ｇ／分±１ｇ／分の流れで１０秒間の持続および１０秒間の停止のシーケンスで水を蒸発させるのに十分な加熱システムを組み込む、１１０×３５×１２．５ｍｍの最大外部容積と、２８°Ｆの硬さを有する少なくとも３５リットルの硬水中に含まれた水垢を保存するのに十分な内部容積とを有する。これは、これらの寸法的制約を考慮に入れている。３つの点が、小型の蒸発チャンバ内の水入口管における水垢の堆積を依然として抑制している。１点目は、チャンバと、蒸発チャンバに水を通すためのＰＴＦＥ管との接触点における管の材料の性質である。一方では、この材料は、（３００℃を上回る）温度において優れたパフォーマンスを有し、非常に低い摩擦係数を有する。他方では、この材料は、その壁上への水垢の堆積を容易にしない。２点目は、管の水供給セクションの直径である。この管の内部セクションは、あらゆる早期の目詰まりを回避する大きさでなければならない。その内部セクションは、少なくとも４ｍｍの直径でなければならない。熱が蒸発チャンバの壁から水に伝達することを抑制するために、管は、少なくとも１ｍｍの厚さを有さなければならない。さらに、内部セクション用に６ｍｍおよび外部セクション用に７ｍｍの、ＰＰＳ（ポリフェニレンサルファイド）から作製されたシールが、この管の周囲に加えられなければならず、これにより、水入口管の内壁への熱伝達がなおのことより大きく抑制される。３点目は、水管の外部セクションと蒸発チャンバの内壁の間の最小距離である。
【００５１】
この距離は、経験値で１ｍｍに固定される。この距離は、管の出口セクション上の水垢の堆積、したがってその早期の目詰まりを抑制することを可能にする。早期の目詰まりを抑制するという事実により、少なくとも８ｍｍに等しい蒸発チャンバの高さが必要とされる。２つの蒸発チャンバは、たとえば、以下の計測値を有する：約１０７ｍｍの長さ、約３４ｍｍの幅、約１２．５ｍｍの最大高さおよび約８．５ｍｍの最小高さ。第１のチャンバの内部幅は、１６．５ｍｍであり、分配チャンバの幅は、３．５ｍｍであり、加熱要素を受け入れるように設けられたコンパートメントの幅は、３５ｍｍである。水供給管は、２０ｍｍのチャンバの内部を貫通する。引用した寸法では、この「蒸発」ゾーンの算出された容積は、概ね１４ｃｍ3である。蒸発手段の高さは、上述した機能を実行することを可能にするように最大限にされる。したがって、大きな断面のＰＴＦＥ１４製の管を第１の蒸発チャンバの上方および下方の壁から少なくとも１ｍｍのところに置くことが依然として可能である。ＰＰＳワッシャが、蒸発ゾーンの入り口に追加される。蒸発ゾーンにおいて最大高さを確実にするために、加熱要素を縁に沿って垂直に置くことが必要である。このチャンバの外部容積の最大限の削減およびその低い高さ（１２．５ｍｍ）のために必要な削減されたジオメトリを得ることで、（好ましくはコスト上の理由により）セラミックまたはＰＴＣタイプの加熱要素の幅が限定される。単一の加熱要素（ＰＴＣ１）しか存在しない場合、加熱要素と蒸発ゾーン（１）の間の交換表面は、弱過ぎて所望の流れを確実にできない。別の加熱要素（ＰＴＣ２）が、チャンバの熱容量を向上させ、この流れの蒸発を確実にするために組み込まれる。情報として、選択されたＰＴＣは、寸法３．５×１０．２×９６ｍｍおよびＴｍａｘ２２５°ＣのＰＴＣ１ならびに寸法３×６．５×７４ｍｍおよびＴｍａｘ２８５°ＣのＰＴＣ２である。
【００５２】
作動の説明
作動可能なとき、機器の電源が入れられると、加熱要素は、チャンバを加熱し始め、別の加熱要素は、毛髪と接触することが意図された表面を加熱し始める。
【００５３】
温度センサが、温度閾値（たとえば１５０℃）に到達すると、これは、モータ６’によって動作されるポンプ６の作用によって水を放出させる。水は、ＰＴＦＥ製の（そのために水垢が固着しない）供給管により、抗沸騰剤および特有の表面仕上げを装備する第１のチャンバに到着しその中に落下する。水は、加熱要素と直接接触するために、最高温度の表面上に落下しなければならない。水は蒸気に変換され、生成された蒸気は、第２の蒸発チャンバ内に通じ、バッフルを通り過ぎ、蒸気分配オリフィスを装備する第３のチャンバ（分配手段）内に到着する。機器の全耐用年数の間、使用される水の硬さに応じて水垢が形成されていく。この水垢は、蒸発チャンバ内に捕捉され続け、つまり、最初に第１のチャンバ内に、次いで、水垢が第１のチャンバ内に捕捉されない場合、バッフルによって第２のチャンバ内に捕捉される。水垢は、ユーザの毛髪上に放出されることは決してない。試験では、見出された蒸気の流れは、３及び４ｇ／分程度であり、３．５ｇ／分により近いものである。しかし、ポンプは、相対的な連続性、その上、１から５ｍＬ／分程度、すなわち３から４の間、好ましくは３．５ｍＬ／分に等しい相対的に一定の流れも確実にする。
【００５４】
本発明の利点
本発明は、数多くの利点を提供し、これらの利点の中でもとりわけ、
−予想される追加の熱および／または機械的張力および／または化学的投入を断ちながらも、効率的および均一なやり方で、処理された毛髪のために制御された湿度をすばやく伝えやすくし、
−複数の毛髪のスタイリングプロセス中、効率的に使用されることが可能であり、
−水垢に対して優れた抵抗性を有し、
−安全作動を有し、
−作動中、信頼高いものであり、
−凝縮現象を回避しやすくし、
−空間全体内で、簡単かつ経済的なやり方で実施されることが可能であり、
−蒸気を毛髪に一様な方法で供給しやすくし、
−簡易化された小型構造を有し、
−低コストで工業化されることが可能であり、
−毛髪のすばやく効率的な処理を可能にし、
−使用が簡単で実用的であり、
−水垢形成に対する優れた耐性を有し、
−抗水垢機能を有し、
−水垢捕捉機能を有し、
−望ましくない沸騰の影響を抑制しやすくし、
−エネルギーの消費を押さえ、熱に敏感な部分（プラスチック、ポンプなど）を加熱しすぎない
機器を提案する。
【００５５】
当然ながら、本発明は、説明および図示した、例として与えたにすぎない実施形態に決して限定されることはない。改変も依然として可能であり、すなわちさまざまな要素の構造の観点から、または等価の技術を代用して、本発明の保護の領域から離れることなく可能である。
【図１】
0006025320.tif 000002
【図１Ａ】
0006025320.tif 000003
【図２】
0006025320.tif 000004
【図３】
0006025320.tif 000005
【図４】
0006025320.tif 000006
【図５】
0006025320.tif 000007
【図６】
0006025320.tif 000008
【図７】
0006025320.tif 000009
【図８】
0006025320.tif 000010